(57)【要約】【課題】  長さ調節を容易且つ精度良く行うことができるコンクリート床版用の排水管装置を提供する。【解決手段】  直管状の収容部１２を一端側に有する第１の排水管１０と、収容部１２に挿入される直管状の差込部２２を一端側に有する第２の排水管２０と、第２の排水管２０の他端側に設けられたネジ部２４に螺合する集水部材３０とを備え、第１の排水管１０に対する第２の排水管２０の挿入長さ、および、第２の排水管２０に対する集水部材３０の螺合長さをそれぞれ調節可能なコンクリート床版用の排水管装置１。【選択図】  図１
0003197497.tif 000002
【実用新案登録請求の範囲】
【請求項１】
直管状の収容部を一端側に有する第１の排水管と、
前記収容部に挿入される直管状の差込部を一端側に有する第２の排水管と、
前記第２の排水管の他端側に設けられたネジ部に螺合する集水部材とを備え、
前記第１の排水管に対する前記第２の排水管の挿入長さ、および、前記第２の排水管に対する前記集水部材の螺合長さをそれぞれ調節可能なコンクリート床版用の排水管装置。
【請求項２】
前記第２の排水管は、前記ネジ部の軸線に対して前記差込部の軸線が傾斜するように屈曲する請求項１に記載のコンクリート床版用の排水管装置。
【請求項３】
前記第１の排水管の他端側に設けられた直管状の差込部が挿入される第３の排水管を更に備え、
前記第１の排水管は、前記差込部の軸線が前記第２の排水管の前記ネジ部の軸線と平行になるように屈曲する請求項２に記載のコンクリート床版用の排水管装置。
【考案の詳細な説明】
【技術分野】
【０００１】
本考案は、コンクリート床版用の排水管装置に関し、より詳しくは、コンクリート製の床板内に埋設されて当該床版上の滞留水を排出するコンクリート床版用の排水管装置に関する。
【背景技術】
【０００２】
コンクリート製の床版上にアスファルト舗装を施してなる橋梁や高架道路等は、舗装面から雨水等が浸透して床版上に滞留し、床版や舗装を劣化させるおそれがあることから、床版内に排水装置を埋設して滞留水を排出することが従来から行われている。
【０００３】
例えば、特許文献１には、集水部を上部に備える上側パイプと下側パイプとが伸縮可能に連結された排水用パイプが開示されている。この排水用パイプは、上側パイプおよび下側パイプに、それぞれねじ部およびガイド突部が設けられており、ねじ部とガイド突部とを係合させて組み付け状態を調節することにより、床版の厚みに合わせて全長を設定することができる。
【先行技術文献】
【特許文献】
【０００４】
【特許文献１】特開２００２−１６８３７４号公報
【考案の概要】
【考案が解決しようとする課題】
【０００５】
ところが、上記従来の排水用パイプは、上側パイプと下側パイプとの螺合によって長さ調節が行われるため、細かな調節が可能な一方で、長さを大きく調節するのが煩雑で時間がかかり、施工性の面で問題があった。
【０００６】
そこで、本考案は、長さ調節を容易且つ精度良く行うことができるコンクリート床版用の排水管装置の提供を目的とする。
【課題を解決するための手段】
【０００７】
本考案の前記目的は、直管状の収容部を一端側に有する第１の排水管と、前記収容部に挿入される直管状の差込部を一端側に有する第２の排水管と、前記第２の排水管の他端側に設けられたネジ部に螺合する集水部材とを備え、前記第１の排水管に対する前記第２の排水管の挿入長さ、および、前記第２の排水管に対する前記集水部材の螺合長さをそれぞれ調節可能なコンクリート床版用の排水管装置により達成される。
【０００８】
このコンクリート床版用の排水管装置において、前記第２の排水管は、前記ネジ部の軸線に対して前記差込部の軸線が傾斜するように屈曲する構成にすることができる。この構成においては、前記第１の排水管の他端側に設けられた直管状の差込部が挿入される第３の排水管を更に備えることが好ましく、前記第１の排水管は、前記差込部の軸線が前記第２の排水管の前記ネジ部の軸線と平行になるように屈曲することが好ましい。
【考案の効果】
【０００９】
本考案のコンクリート床版用の排水管装置によれば、長さ調節を容易且つ精度良く行うことができる。
【図面の簡単な説明】
【００１０】
【図１】本考案の一実施形態に係るコンクリート床版用の排水管装置を一部断面で示す側面図である。
【図２】図１に示すコンクリート床版用の排水管装置の施工手順を説明するための図である。
【図３】図１に示すコンクリート床版用の排水管装置の施工手順を説明するための図である。
【図４】本考案の他の実施形態に係るコンクリート床版用の排水管装置の側面図である。
【考案を実施するための形態】
【００１１】
以下、本考案の一実施形態について添付図面を参照しつつ説明する。図１は、本考案の一実施形態に係るコンクリート床版用の排水管装置の側面図であり、一部を断面で示している。図１に示すように、コンクリート床版用の排水管装置１は、例えばステンレス等の金属材料からなり、第１の排水管１０、第２の排水管２０、集水部材３０、第３の排水管４０および排水部材５０を備えている。
【００１２】
第１の排水管１０は、一端側及び他端側にそれぞれ直管状の収容部１２および差込部１４が設けられており、収容部１２と差込部１４との間には、屈曲可能な蛇腹状の屈曲部１６が設けられている。収容部１２の端部における拡径された内周面には、Ｏリング１２ａが配置されている。
【００１３】
第２の排水管２０は、一端側に直管状の差込部２２が設けられており、この差込部２２が、第１の排水管１０の収容部１２に挿入される。差込部２２の外周面は、収容部１２の内周面と摺動可能に密接しており、Ｏリング１２ａとの接触により液密にシールされる。第２の排水管２０の他端側の内周面にはネジ部２４が設けられており、ネジ部２４の端部は外方にカールして補強部２４ａが形成されている。ネジ部２４は、切削により形成することも可能であるが、ステンレス製の薄肉管に対して転造加工により形成することが好ましく、これによって、軽量化および高強度化の両立を図ることができる。差込部２２とネジ部２４との間には、屈曲可能な蛇腹状の屈曲部２６が設けられている。
【００１４】
集水部材３０は、筒状に形成されており、一端側に第２の排水管２０のネジ部２４に螺合するネジ部３２が設けられ、他端側にキャップ３４が装着されている。キャップ３４の外周面には周方向に沿って複数の導水孔が形成されており、導水孔を覆うように環状のスプリングフィルタ３６が装着されている。集水部材３０のネジ部３２も、転造加工により形成されることが好ましい。
【００１５】
第３の排水管４０は、一端側に直管状の収容部４２が設けられ、収容部４２の端部における拡径された内周面にはＯリング４２ａが配置されている。収容部４２には、第１の排水管１０の差込部１４が挿入され、差込部１４の外周面が収容部４２の内周面と摺動可能に密接して、Ｏリング４２ａにより液密にシールされる。第３の排水管４０の他端側の内周面には、ネジ部４４が設けられている。このネジ部４４も、転造加工により形成されることが好ましい。ネジ部４４の端部は、外方にカールして補強部４４ａが形成されている。
【００１６】
排水部材５０は、両端のネジ部５２，５４の径が異なる異径ニップルからなり、一方のネジ部５２が第３の排水管４０のネジ部４４に螺合する。一方のネジ部５２にはＯリング５２ａが外嵌されており、第３の排水管４０と排水部材５０との間が液密にシールされる。他方のネジ部５４には、排水パイプ（図示せず）が装着される。
【００１７】
上記の構成を備えるコンクリート床版用の排水管装置１は、従来と同様に、コンクリート製の床板内に埋設して使用する。図２に示すように、第１の排水管１０、第２の排水管２０および第３の排水管４０を組み付けて、第１の排水管１０に対する第２の排水管２０の挿入長さＬ１、および、第３の排水管４０に対する第２の排水管２０の挿入長さＬ２をそれぞれ調整し、固定金具１１０を介して鉄筋１０６に溶接等で固定する。図２に示すように、第２の排水管２０は、ネジ部２４の軸線Ａ１に対して差込部２２の軸線Ａ２が傾斜するように、屈曲部２６において屈曲させる。また、第１の排水管１０は、差込部１２の軸線Ａ３が第２の排水管２０のネジ部２４の軸線Ａ１と平行になるように、屈曲部１６において屈曲させる。
【００１８】
ついで、コンクリート床版１００を打設して、第１の排水管１０の補強部２４ａが、コンクリート床版１００の集水溝１０２の底部１０２ａに当接し、第３の排水管４０の補強部４４ａが、コンクリート床版１００の下面１０４に当接するように、第１の排水管１０、第２の排水管２０および第３の排水管４０を、コンクリート床版１００の内部に埋設する。
【００１９】
コンクリート床版１００の硬化後、図３に示すように、集水溝１０２の底部１０２ａにモルタル材からなる被覆層１２０を形成して集水溝１０２の底面高さの調整を行ってから、第２の排水管２０に集水部材３０を装着し、スプリングフィルタ３６の最下部が被覆層１２０の上面と略一致するように、第２の排水管２０に対する集水部材３０の螺合長さＬ３を調節する。また、第３の排水管４０には、排水部材５０を装着する。
【００２０】
この後、コンクリート床版１００の上面にアスファルト舗装１３０を形成する。これにより、アスファルト舗装１３０を浸透した雨水等は、集水部材３０から第２の排水管２０、第１の排水管１０および第３の排水管４０を経て、排水部材５０から外部に排出される。
【００２１】
本実施形態のコンクリート床版用の排水管装置１は、コンクリート床版１００を打設する前の長さ調整を、第１の排水管１０に対する第２の排水管２０の挿入長さＬ１、および、第３の排水管４０に対する第２の排水管２０の挿入長さＬ２の調整によって行うことができるので、大きな長さ調整が必要な場合であっても、作業を迅速容易に行うことができる。一方、コンクリート床版１００を打設した後の集水部材３０の高さ調整は、第２の排水管２０に対する集水部材３０の螺合長さＬ３の調整によって容易に精度良く行うことができる。
【００２２】
また、第２の排水管２０は、ネジ部２４の軸線Ａ１に対して差込部２２の軸線Ａ２が傾斜するように屈曲しているので、差込部２２の進退による排水管装置１全体の上下方向（軸線Ａ１方向）の高さ変動が小さなものとなる。したがって、排水管装置１の高さ調整を、差込部２２の進退によって、より細かい精度で行うことができる。一方、第１の排水管１０の差込部１４の軸線Ａ３は、第２の排水管２０のネジ部２４の軸線Ａ１と平行に設定されているので、排水管装置１全体を大きく高さ変動させたい場合には、差込部１４の進退によって容易に行うことができる。
【００２３】
以上、本考案の一実施形態について詳述したが、本考案の具体的な態様は上記実施形態に限定されるものではない。例えば、図４に示すように、第１の排水管１０および第２の排水管２０が、それぞれ屈曲部を備えない構成であってもよい。この構成においては、第１の排水管１０の他端側にネジ部１１４を形成し、このネジ部１１４に排水部材５０を螺合可能に構成することができる。なお、図４において、図１と同様の構成部分には同一の符号を付している。
【符号の説明】
【００２４】
１  コンクリート床版用の排水管装置
１０  第１の排水管
１２  収容部
１４  差込部
２０  第２の排水管
２２  差込部
２４  ネジ部
３０  集水部材
４０  第３の排水管
【図１】
0003197497.tif 000003
【図２】
0003197497.tif 000004
【図３】
0003197497.tif 000005
【図４】
0003197497.tif 000006